(57)【要約】【課題】  光ディスクが載置されるトレイの移動を妨げないようにディスクローディング装置を構成するとともに、ディスクローディング装置を構成する各構成要素を効率よく配置することによって、光ディスク装置の小型化及び薄型化を図る。【解決手段】  光ディスクを載置する載置部３８が形成され、ローディング位置とアンローディング位置との間で移動されるトレイ３を備え、トレイ３を移動するためのローディングモータ２３を、トレイ３がローディング位置にあるとき水平面において載置部３８とオーバーラップしない位置であり、且つ、該水平面に直交する垂直面においてトレイ３とオーバーラップする位置に配置し、前記トレイ３に結合されるギア機構を、トレイ３がアンローディング位置にあるとき水平面において載置部３８とオーバーラップしない位置に配置し、ローディングモータ２３の回転軸と前記ギア機構をシャフトからなる伝達機構によって結合する。【選択図】    図２
2005135496.tif 000002
【特許請求の範囲】
【請求項１】
ディスクを載置する載置部が形成され、前記ディスクに対し情報の記録再生を可能とするローディング位置と前記ディスクの着脱を可能とするアンローディング位置との間で移動されるトレイと、
前記トレイがローディング位置にあるとき水平面において前記載置部とオーバーラップしない位置であり、且つ、該水平面に直交する垂直面において該トレイとオーバーラップする位置に配置されたモータと、
前記トレイがアンローディング位置にあるとき水平面において前記載置部とオーバーラップしない位置に配置され、該トレイと結合されるギア機構と、
前記モータの回転軸と前記ギア機構との間に配設され、該モータの駆動力を該ギア機構に伝達する伝達機構と
を備えることを特徴とするディスクローディング装置。
【請求項２】
前記モータは、該モータの回転軸が前記トレイの移動方向と平行となるように配置されることを特徴とする請求項１記載のディスクローディング装置。
【請求項３】
前記伝達機構は、シャフトであることを特徴とする請求項１又は２記載のディスクローディング装置。
【請求項４】
前記シャフトは、一端が複数のギアを介して前記モータの回転軸と結合され、前記モータの回転軸と平行に配置されることを特徴とする請求項３記載のディスクローディング装置。
【発明の詳細な説明】
【技術分野】
【０００１】
本発明は、ＣＤやＤＶＤ等のディスク状の記録媒体（以後、ディスクという）に対し情報の記録あるいは再生を行う光ディスク装置に適用されるディスクローディング装置に関するものである。
【背景技術】
【０００２】
近年、ノート型のパーソナルコンピュータ（以後、パソコンという）の普及に伴い、パソコン本体の小型化、薄型化が進んでおり、それに合わせるようにＣＤやＤＶＤ等のディスクを駆動する光ディスク装置も小型化、薄型化が進んでいる。また、デスクトップ型パソコンも例外ではなく、空間の有効利用というエンドユーザの要望に合わせて小型化が進んでおり、デスクトップ型パソコンで主流であったハーフハイトドライブと呼ばれる光ディスク装置の更なる小型化が要求されている。
【０００３】
図８は従来の光ディスク装置におけるディスクローディング装置の一例の構成を示している。メインシャーシ１０１には、ローディングモータ１０２が取り付けられており、このローディングモータ１０２の回転軸には、モータプーリ１０３が固着されている。モータプーリ１０３には、ベルト５が掛けられ、その回転がメインシャーシ１０１に対して回転自在に保持されたローディングプーリ１０４に伝達されるようになされている。また、メインシャーシ１０１には、中間ギア１０６及び駆動ギア１０７が回転自在に支持されており、ローディングプーリ１０４の回転が中間ギア１０６を介して駆動ギア１０７に伝達されるようになされている。
【０００４】
また、メインシャーシ１０１には、ディスクの載置部１１０を有するトレイ１０８がガイド１１１により移動自在に支持されている。このトレイ１０８の内側面にはラック１０９が形成されており、駆動ギア１０７と噛合するようになされている。
【０００５】
ローディングモータ１０２を回転させると、その回転が、モータプーリ１０３、ベルト５、ローディングプーリ１０４、中間ギア１０６、駆動ギア１０７を介してラック１０９に伝達され、トレイ１０８がメインシャーシ１０１に対して移動される。これにより、トレイ１０８の載置部１１０に載置したディスクを光ディスク装置の本体内部の記録再生位置にローディングしたり、前記記録再生位置からディスクの着脱可能位置にアンローディングしたりすることができる。
【０００６】
ところが、このようなディスクローディング装置は、ローディングモータ１０２乃至駆動ギア１０７に至る駆動系の回転軸がトレイ１０８の進退方向に対して垂直な方向に設定されていることから、ローディングモータ１０２がメインシャーシ１０１の下方に向かって突出することから、ローディングモータ１０２を収納する空間が必要となる。そのため、必然的に光ディスク装置の厚みが増すことになり、光ディスク装置の薄型化には自ずと限界があった。
【０００７】
この問題を解決し、光ディスク装置の更なる薄型化を図るためのディスクローディング装置として、回転軸がトレイの進退方向と平行となるようにローディングモータを配置し、その回転をトレイに伝達するようにしたディスクローディング装置が提案されている（例えば、特許文献１参照）。
【０００８】
このディスクローディング装置は、図９及び図１０に示すように、回転軸がトレイ１２２の進退方向と平行となるように配置されたローディングモータ１２３、ローディングモータ１２３の回転軸に固着されたモータプーリ１２４、ローディングモータ１２３の回転軸と直交する回転軸を有し、モータプーリ１２４に圧接されるローディングプーリ１２５、中間ギア１２６、及び駆動ギア１２７で構成されている。ローディングプーリ１２５、中間ギア１２６、及び駆動ギア１２７は、メインシャーシ１２１に回転自在に支持されており、ローディングプーリ１２５の回転が中間ギア１２６を介して駆動ギア１２７に伝達されるようになされている。
【０００９】
また、メインシャーシ１２１には、ディスクの載置部１２９を有するトレイ１２２がガイド１３０により移動自在に支持されている。このトレイ１２２の内側面にはラック１２８が形成されており、駆動ギア１２７と噛合するようになされている。
【００１０】
ローディングモータ１２３を回転させると、その回転が、モータプーリ１２４、ローディングプーリ１２５、中間ギア１２６、駆動ギア１２７を介してラック１２８に伝達され、トレイ１２２がメインシャーシ１２１に対して移動される。これにより、トレイ１２２の載置部１２９に載置したディスクを光ディスク装置の本体内部の記録再生位置にローディングしたり、前記記録再生位置からディスクの着脱可能位置にアンローディングしたりすることができる。
【特許文献１】特開平５−２６６５６２号公報
【発明の開示】
【発明が解決しようとする課題】
【００１１】
このように光ディスク装置の薄型化を図る場合、トレイの進退方向に対するローディングモータの配置方向が重要となる。ローディングモータの大きさ、特に厚みを考慮すると、ローディングモータ本体をトレイの進退方向に対し水平となるように配置するのが望ましく、更にローディングモータの回転軸をトレイの進退方向に対し平行となるように配置することは、光ディスク装置本体内部の空間効率を考慮すると、最適な技術であるといえる。
【００１２】
ところが、図９及び図１０に示すディスクローディング装置の場合、トレイ１２２に載置される光ディスクの移動を妨げないようにするために、図９に示すごとくローディングモータ１２３がトレイ１２２に形成されたディスクの載置部１２９の下方に配置されていることから、ローディングモータ１２３の直径分だけディスクローディング装置の厚みが大きくなり、光ディスク装置の薄型化の妨げになるという問題が生じる。また、ローディングモータ１２３の回転方向を変えるローディングプーリ１２５の回転軸はローディングモータ１２３の回転軸と直交しており、ローディングプーリ１２５はモータプーリ１２４に圧接するための圧接機構を有していることから、この圧接機構が光ディスク装置の厚さ方向に突出することになり、この突出分だけディスクローディング装置の厚みが増してしまうことから、光ディスク装置の薄型化には限界があるという課題があった。
【００１３】
本発明は、かかる課題を解決するためになされたものであり、光ディスクが載置されるトレイの移動を妨げないディスクローディング装置を提供するものであり、併せて、光ディスク装置の小型化及び薄型化を目的とするものである。
【課題を解決するための手段】
【００１４】
そこで、本発明は、以下に述べる各手段により上記課題を解決するようにした。即ち、請求項１記載の発明では、ディスクを載置する載置部が形成され、前記ディスクに対し情報の記録再生を可能とするローディング位置と前記ディスクの着脱を可能とするアンローディング位置との間で移動されるトレイと、前記トレイがローディング位置にあるとき水平面において前記載置部とオーバーラップしない位置であり、且つ、該水平面に直交する垂直面において該トレイとオーバーラップする位置に配置されたモータと、前記トレイがアンローディング位置にあるとき水平面において前記載置部とオーバーラップしない位置に配置され、該トレイと結合されるギア機構と、前記モータの回転軸と前記ギア機構との間に配設され、該モータの駆動力を該ギア機構に伝達する伝達機構とを備えるようにディスクローディング装置を構成する。
【００１５】
また、請求項２記載の発明では、前記請求項１記載の発明において、前記モータが、その回転軸が前記トレイの移動方向と平行となるように配置されるようにする。
【００１６】
また、請求項３記載の発明では、前記請求項１乃至請求項２記載の発明において、前記伝達機構がシャフトで構成されるようにする。
【００１７】
また、請求項４記載の発明では、前記請求項３記載の発明において、前記シャフトが、一端が複数のギアを介して前記モータの回転軸と結合され、前記モータの回転軸と平行に配置されるようにする。
【発明の効果】
【００１８】
請求項１記載の発明によれば、モータをトレイがローディング位置にあるときに水平面（水平方向）においてディスクを載置する載置部とオーバーラップしない位置であり、且つ、該水平面に直交する垂直面（厚さ方向）においてトレイとオーバーラップする位置に配置し、トレイと係合するギア機構をトレイがアンローディング位置にあるときに水平面（水平方向）において前記載置部とオーバーラップしない位置に配置するとともに、該モータの回転軸と該ギア機構を伝達機構によって結合するようにしたので、モータをトレイに形成された載置部に干渉させることなくトレイ表面側に偏倚させて配置することが可能となり、モータをトレイと厚さ方向にオーバーラップさせた分、光ディスク装置を薄型化することができる。
【００１９】
また、請求項２記載の発明によれば、モータの回転軸がトレイの移動方向と平行となるようにモータを配置するようにしたので、モータを光ディスク装置に内設され光ピックアップが載置されるピックアップベースに並設することが可能になり、光ディスク装置内部の空間利用効率が向上するとともに、光ディスク装置を薄型化及び小型化することができる。
【００２０】
また、請求項３記載の発明によれば、伝達機構をシャフトで構成するようにしたので、中間ギアを連接した伝達機構に比べて空間利用効率が向上し、効率的にモータの回転をトレイに結合するギア機構に伝達することができる。また、中間ギアを連接した伝達機構に比べると部品点数が少なくて済み、安価に伝達機構を構成することができる。更に、シャフト自体の直径が細いので、連接ギアによる伝達機構に比べてディスクローディング装置を小型化できる。
【００２１】
また、請求項４記載の発明によれば、シャフトの一端を複数のギアを介してモータの回転軸と結合し、モータの回転軸と平行となるように配置するようにしたので、モータをよりトレイ表面側に偏倚させて配置することが可能になるとともに、複数のギアによってシャフトの回転軸をモータの回転軸上から偏倚させることにより、トレイに形成された載置部に干渉させることなくモータの回転をトレイに結合するギア機構に伝達することができる。また、伝達機構がシャフト自身であるので、シャフトの回転軸をモータの回転軸から偏倚させて配置したことによるディスクローディング装置の大型化を抑制することができる。
【発明を実施するための最良の形態】
【００２２】
ディスクを載置する載置部が形成され、ディスクに対し情報の記録再生を可能とするローディング位置とディスクの着脱を可能とするアンローディング位置との間で移動されるトレイを備え、該トレイを移動するためのモータを、該トレイがローディング位置にあるとき水平面において前記載置部とオーバーラップしない位置であり、且つ、該水平面に直交する垂直面において該トレイとオーバーラップする位置に配置し、前記トレイに結合されるギア機構を、該トレイがアンローディング位置にあるとき水平面において前記載置部とオーバーラップしない位置に配置するようにし、前記モータの回転軸と前記ギア機構をシャフトからなる伝達機構によって結合するようにする。このとき、前記モータを該モータの回転軸がトレイの移動方向と平行となるように配置するのが望ましい。
【実施例１】
【００２３】
以下、本発明の一実施例を図１乃至図７に基づいて説明する。
【００２４】
図１は本発明を実施した光ディスク装置であり、図２はその背面図である。図１に示す光ディスク装置では、説明の都合上、トレイを光ディスク装置本体からはずした状態を示している。光ディスク装置１は、光ディスク装置本体２とトレイ３に大別でき、光ディスク装置本体２には、ピックアップベース４、ディスクローディング装置５、及びディスククランプ機構６が内設され、光ディスク装置本体２の後端部には、インターフェースや電源などの各種コネクタ７が配設される。
【００２５】
ピックアップベース４は、図３に示すごとくディスククランプ機構６の昇降ベース２１とともにメインシャーシ８の開口部８ａに配設されており、ピックアップベース４の前端部分に形成された２カ所の保持片９が弾性部材１１を介して昇降ベース２１にネジ固定され、後端部分に形成された２カ所の保持片１０が弾性部材１１を介してメインシャーシ８にネジ固定されるフローティング構造となっている。昇降ベース２１は、ピックアップベース４とともに片持ち状態で揺動可能に支持されており、前端部分がディスククランプ機構６のスライドプレート２２によって支軸１２を中心に昇降可能なように支持されている。ピックアップベース４には、スピンドルモータ１３が固定されており、その近傍には光ピックアップを主体とするヘッドユニット１４が配設されている。
【００２６】
スピンドルモータ１３の駆動軸にはターンテーブル１５が固定されており、トレイ３がローディングされたとき、ピックアップベース４が上昇し、ターンテーブル１５と光ディスク装置１のカバー部材１６に配設されたディスククランパ１７とで光ディスクの中心孔部分を狭持してクランプすることにより、回転力を伝達するようにしている。
【００２７】
一方、ヘッドユニット１４は、図２に示すごとくスピンドルモータ１３を中心とする半径方向に伸びた２本のガイドシャフト１８，１９に案内されて移動可能であり、送りモータ２０によって駆動されるスクリューシャフト（図示せず）のリード溝によって移動し、光ディスクに対する情報の記録再生を行うようにしている。
【００２８】
ディスクローディング装置５は、メインシャーシ８にピックアップベース４と並設されており、主にローディングモータ２３、シャフト２４、及び駆動ギア２５で構成され、ローディングモータ２３の回転軸にはモータギア２６が固定されており、シャフト２４の一端には、モータギア２６と噛合する伝達ギア２７が固定され、他端にはウォームギア２８が固定されている。ウォームギア２８はメインシャーシ表面側に配置されている駆動ギア２５に噛合しており、該駆動ギアはトレイ３の裏面に形成されたラックギア２９に噛合している。ローディングモータ２３は光ディスク装置１の後方側に配設されており、ローディングモータ２３の駆動力は、ギア２６、ギア２７、シャフト２４、ウォームギア２８を介して光ディスク装置１の前方側に伝達され、駆動ギア２５を介してトレイ３に伝達される。ディスクローディング装置５の詳細については後述する。
【００２９】
ディスククランプ機構６は、上述した昇降ベース２１とスライドプレート２２で構成され、光ディスク装置１の前方寄りのメインシャーシ８上に配設される。昇降ベース２１は、前述の通りピックアップベース４とともに片持ち状態で支軸１２を中心に揺動可能に支持されており、前端部に２本の支持ピン３２が突設されている。スライドプレート２２は、水平面２２ａと垂直面２２ｂからなるくの字状に形成されたプレートであり、トレイの移動方向と直交する方向にスライド可能なようにメインシャーシ８に支持されている。スライドプレート２２の水平面２２ａ上には、トレイ３の裏面に形成された第１のガイド溝３０と係合するガイドピン３３と、同じくトレイ３の裏面に形成された第２のガイド溝３１と係合するガイドピン３４が立設されている。また、水平面２２ａの一端には、ラックギア３５が形成されている。一方、スライドプレート２２の垂直面２２ｂには、２本の昇降ガイド溝３６が形成されており、昇降ベース２１に設けられた２本の支持ピン３２とそれぞれ係合している。スライドプレート２２は、トレイ３の移動に伴い、ガイドピン３３と３４が、それぞれ第１のガイド溝３０と第２のガイド溝３１に案内され、トレイ３がローディング位置に到達する直前にラックギア３５がディスクローディング装置の駆動ギア２５と噛合することによって、ローディングモータ２３の駆動力がスライドプレート２２に伝達され、スライドプレート２２がローディング方向（図中Ｃ方向）にスライドする。そして、スライドプレート２２のスライドに伴い、昇降ベース２１の支持ピン３２がスライドプレート２２の垂直面２２ｂに形成された昇降ガイド溝３６によって案内され、ピックアップベース４が昇降する。
【００３０】
トレイ３は、メインシャーシ８の側壁に形成されたガイド片３７により移動自在に支持されている。トレイ３の表面には、光ディスクを載置するための凹形状をした載置部３８が形成されており、ターンテーブル１５が位置する載置部３８の略中央からヘッドユニットの移動範囲において穿設孔３９が形成されている。トレイ３の裏面には、上述の通り、ラックギア２９、第１のガイド溝３０、及び第２のガイド溝３１が形成されている。また、トレイ３の前端部中央には、載置部３８に載置される光ディスクを保持するための保持部材４０が配設されており、線バネ４１によってローディング方向（図中Ｂ方向）に付勢されている。保持部材４０は、トレイ３がローディング位置に到達すると、メインシャーシ８に配設された解除部材４２によってアンローディング方向（図中Ａ方向）に押圧され、載置部３８に載置された光ディスクの保持を解除する。なお、解除部材４２は、光ディスク装置１が操作不能状態になったときに手動で光ディスクの取り出しを行うためのイマージェンシー機能を兼ねており、緊急時に解除部材４２を装置外から操作することによって、解除部材４２を図中Ｂ方向に移動させ、解除部材４２と係合するスライドプレートを強制的にアンローディング方向（図中Ｄ方向）にスライドさせる。この操作によってトレイ３がアンローディング方向（図中Ａ方向）に突出し、手動でのトレイ３の引き出しが可能になる。
【００３１】
ここで、ディスクローディング装置５について図４乃至図７に基づき詳細に説明する。図４は光ディスク装置１の背面図であり、図５は側面図である。なお、説明の都合上、図４及び図５ではメインシャーシ８全体あるいは一部の記載を省略している。上述の通り、ディスクローディング装置５は、主にローディングモータ２３、シャフト２４、及び駆動ギア２５で構成されている。
【００３２】
ローディングモータ２３は、光ディスク装置１の後方側に配設されており、ローディングモータ２３の配設位置は、トレイ３が光ディスクに対し情報の記録再生を可能とするローディング位置にあるとき、水平面においてトレイ３に形成されている載置部３８とオーバーラップしない位置であり、水平面に直交する垂直面においてトレイ３とオーバーラップする位置であるという２つの条件を満たすように設定されている。即ち、図６に示すごとく光ディスク装置１に対しトレイ３がローディング位置にあるとき、トレイ３の移動方向に平行な水平面において、光ディスクの載置部３８とローディングモータ２３の本体がオーバーラップしない位置であり、図５に示すごとく前記水平面に直交する垂直面において、トレイ３とローディングモータ２３の本体がオーバーラップするようにローディングモータ２３を配置する。この条件を満たすようにローディングモータ２３を配置することによって、ローディングモータ２３を光ディスクの載置部３８に干渉させることなくトレイ３の表面側に偏倚させて配置することができることから、光ディスク装置を薄型化することができる。なお、図５に示す光ディスク装置１の側面図では、ローディングモータ２３の頂部２３ａが光ディスクの載置部３８の底面３８ａよりもトレイ３の表面側に近い位置となるように偏倚させて配置することによって、光ディスク装置１の薄型化を図っている。
【００３３】
また、ローディングモータ２３の回転軸にはモータギア２６が固定されており、シャフト２４の一端には、モータギア２６と噛合する伝達ギア２７が固定され、他端にはウォームギア２８が固定されている。このモータギア２６、伝達ギア２７、シャフト２４、及びウォームギア２８からなる伝達要素によって伝達機構を構成している。シャフト２４は、モータギア２６及び伝達ギア２７を使用することによって、ローディングモータ２３の回転軸上からやや下方に離れた位置に配設されており、メインシャーシ８の背面側を通るように配置されている。このように配置することによって、駆動ギア２５の高さ位置を低く抑えるようにしている。故に、光ディスク装置の更なる薄型化を図ることができる。なお、シャフト２４は、その一端に固定される伝達ギア２７がローディングモータ２３の直径から逸脱しない範囲において配置すれば、光ディスク装置の高さ方向に影響を与えることはない。また、ローディングモータ２３の回転軸にシャフトを直結し、回転軸を一致させるようにしてもよいことは言うまでもない。
【００３４】
一方、駆動ギア２５は、ピニオンギアが形成された大径の第１のギア２５ａと、ノーマルギアが形成された小径の第２のギア２５ｂが積層された積層ギアを形成しており、第１のギア２５ａがシャフト２４の一端に固定されるウォームギア２８に噛合し、第２のギア２５ｂがトレイ３の裏面に形成されたラックギア２９に噛合している。駆動ギア２５は、第２のギア２５ｂの一部がメインシャーシ８の表面側に突出してトレイ３のラックギア２９と噛合するように配置されており、第１のギア２５ａがメインシャーシ８の背面側を通るように配置されたシャフト２４に固定されたウォームギア２８に噛合することにより、高さ位置が低く抑えられている。このウォームギア２８、駆動ギア２５、及びラックギア２９からなる伝達要素によってギア機構を構成している。
【００３５】
また、駆動ギア２５は、光ディスク装置１の前方側に配設されており、駆動ギア２５の配設位置は、トレイ３が光ディスクの着脱を可能とするアンローディング位置にあるとき、水平面においてトレイ３に形成されている載置部３８とオーバーラップしない位置でありという条件を満たすように設定されている。即ち、図７に示すごとく光ディスク装置１に対しトレイ３がアンローディング位置にあるとき、トレイ３の移動方向に平行な水平面において、光ディスクの載置部３８と駆動ギア２５がオーバーラップしないように駆動ギア２５を配置する。この条件は、所謂トレイ３のフロント駆動を実現するための必須条件である。即ち、本実施例であるディスクローディング装置は、トレイ３のフロント駆動を実現するように構成されている。
【００３６】
以上の説明から明らかなように、トレイをローディング位置とアンローディング位置との間で移動させるためのローディング装置において、ローディングモータをトレイに形成された光ディスクの載置部と干渉しない位置である光ディスク装置後方側に配置し、しかもトレイとローディングモータの本体がオーバーラップするように配置することによって、ローディングモータを光ディスクの載置部に干渉させることなくトレイの表面側に偏倚させて配置することができるため、光ディスク装置を薄型化することができる。
【００３７】
また、ローディングモータの回転軸に結合する伝達機構としてのシャフトの配設位置を工夫することによって、ローディングモータの駆動力をトレイに伝達する駆動ギアの高さ位置を低く抑えることができるため、光ディスク装置を更に薄型化することができる。
【００３８】
なお、本発明は、上記実施例に限定されるものではなく、特許請求の範囲に記載の趣旨から逸脱しない範囲で各種の変形実施が可能である。
【００３９】
例えば、上記実施例では、ローディングモータ２３の回転軸をトレイ３の移動方向と平行となるように配置したが、トレイ３ローディング位置にあるとき、水平面においてトレイ３に形成されている載置部３８とオーバーラップしない位置であり、水平面に直交する垂直面においてトレイ３とオーバーラップする位置であるという２つの条件を満たすようにローディングモータ２３を配置するのであれば、ローディングモータ２３の回転軸をトレイ３の移動方向と垂直となるように配置してもよい。この場合、ローディングモータ２３は光ディスク装置１に対して横向きに配置されることになるので、光ディスク装置１の奥行きを短くしたい場合に有効な配置条件となる。
【００４０】
また、上記実施例では、シャフトを使用した伝達機構について説明したが、ベルトを使用した伝達機構に置き換えてもより。ベルトによる伝達機構は、ローディングモータ２３を光ディスク装置１に対して横向きに配置したときに有効な伝達機構となり得る。
【図面の簡単な説明】
【００４１】
【図１】本発明の一実施例であるディスクローディング装置を適用した光ディスク装置の斜視図である。
【図２】本発明の一実施例であるディスクローディング装置を適用した光ディスク装置の背面図である。
【図３】本発明の一実施例であるディスクローディング装置を適用した光ディスク装置の分解斜視図である。
【図４】光ディスク装置に対するディスクローディング装置の配設位置を説明するための背面図である。
【図５】光ディスク装置に対するディスクローディング装置の配設位置を説明するための側面図である。
【図６】トレイがローディング位置にあるときのディスクローディング装置とトレイとの位置関係を説明するための平面図である。
【図７】トレイがアンローディング位置にあるときのディスクローディング装置とトレイとの位置関係を説明するための平面図である。
【図８】従来のディスクローディング装置の例を示す分解斜視図である。
【図９】従来のディスクローディング装置の他の例におけるローディング状態を示す平面図である。
【図１０】従来のディスクローディング装置の他の例におけるアンローディング状態を示す平面図である。
【符号の説明】
【００４２】
１・・・・・・・・・光ディスク装置
２・・・・・・・・・光ディスク装置本体
３・・・・・・・・・トレイ
４・・・・・・・・・ピックアップベース
５・・・・・・・・・ディスクローディング装置
６・・・・・・・・・ディスククランプ機構
７・・・・・・・・・コネクタ
８・・・・・・・・・メインシャーシ
９，１０・・・・・・保持片
１１・・・・・・・・弾性部材
１２・・・・・・・・支軸
１３・・・・・・・・スピンドルモータ
１４・・・・・・・・ヘッドユニット
１５・・・・・・・・ターンテーブル
１６・・・・・・・・カバー部材
１７・・・・・・・・ディスククランパ
１８，１９・・・・・ガイドシャフト
２０・・・・・・・・送りモータ
２１・・・・・・・・昇降ベース
２２・・・・・・・・スライドプレート
２３・・・・・・・・ローディングモータ
２４・・・・・・・・シャフト
２５・・・・・・・・駆動ギア
２６・・・・・・・・モータギア
２７・・・・・・・・伝達ギア
２８・・・・・・・・ウォームギア
２９・・・・・・・・ラックギア
３０・・・・・・・・第１のガイド溝
３１・・・・・・・・第２のガイド溝
３２・・・・・・・・支持ピン
３３，３４・・・・・ガイドピン
３５・・・・・・・・ラックギア
３６・・・・・・・・昇降ガイド溝
３７・・・・・・・・ガイド片
３８・・・・・・・・載置部
３９・・・・・・・・穿設孔
４０・・・・・・・・保持部材
４１・・・・・・・・線バネ
４２・・・・・・・・解除部材
１０１，１２１・・・メインシャーシ
１０２，１２３・・・ローディングモータ
１０３，１２４・・・モータプーリ
１０４，１２５・・・ローディングプーリ
１０５・・・・・・・ベルト
１０６，１２６・・・中間ギア
１０７，１２７・・・駆動ギア
１０８，１２２・・・トレイ
１０９，１２８・・・ラック
１１０，１２９・・・載置部
【図１】
2005135496.tif 000003
【図２】
2005135496.tif 000004
【図３】
2005135496.tif 000005
【図４】
2005135496.tif 000006
【図５】
2005135496.tif 000007
【図６】
2005135496.tif 000008
【図７】
2005135496.tif 000009
【図８】
2005135496.tif 000010
【図９】
2005135496.tif 000011
【図１０】
2005135496.tif 000012